(57)【要約】【課題】太陽電池パネルの厚みに若干の誤差があっても、確実に装着できるホルダを備えた太陽電池モジュールを提供する。【解決手段】  ホルダー３は樹脂などからなる断面略コ字状をなし、太陽電池パネル２の表面に当接する上側片３１、太陽電池パネル２の裏面に当接する下側片３２、これら上側片３１と下側片３２とを一体的に連続する横側片３３からなり、横側片３３の厚みは前記上側片３１及び上側片３２の厚さよりも薄く、且つ前記横側片３３は内側、即ちホルダー３の太陽電池パネル２に対する装着方向に向かって湾曲した形状とされている。【選択図】図２
2014103337.tif 000002
【特許請求の範囲】
【請求項１】
太陽電池パネルの周縁部にホルダーが装着された太陽電池モジュールであって、前記ホルダーは太陽電池パネルの表面に当接する上側片、太陽電池パネルの裏面に当接する下側片、これら上側片と下側片とを一体的に連続する横側片からなる断面コ字状をなし、前記横側片の厚みは前記上側片及び上側片の厚さよりも薄く、且つ前記横側片は内側に向かって湾曲した形状とされていることを特徴とする太陽電池モジュール。
【請求項２】
請求項１に記載の太陽電池モジュールにおいて、前記下側片の内側への張り出し長さは、前記上側片の内側への張り出し長さよりも大きく、また上側片及び下側片の先端部は横側片と連続する基端部よりも太陽電池パネルの厚み方向の中心線に近づいていることを特徴とする太陽電池モジュール。
【発明の詳細な説明】
【技術分野】
【０００１】
本発明は、太陽電池パネルの縁部をホルダーで封止した太陽電池モジュールに関する。
【背景技術】
【０００２】
特許文献１には太陽電池パネルの周囲に封止部材を装着した太陽電池モジュールが提案されている。
この太陽電池モジュールは、図４に示すように、太陽電池パネル１００の縁部に封止部材１１０が装着され、この封止部材（ホルダー）１１０がフレーム１２０内に挿入されている。
【０００３】
前記太陽電池パネル１００は太陽電池セル１０１、封止用樹脂層１０２、受光面ガラス１０３及びは耐候性フィルム１０４を積層することで構成され、前記封止部材１１０は上側封止片１１１、下側封止片１１２及びこれら上側封止片１１１と下側封止片１１２との間を連続する横側封止片１１３からなり、更に封止部材１１０の内側には比較的軟らかい内挿部材１１４を設けている。
【先行技術文献】
【特許文献】
【０００４】
【特許文献１】特開２００５−１６６７０９号公報
【発明の概要】
【発明が解決しようとする課題】
【０００５】
特許文献１にあっては、封止部材１１０をフレーム１２０に挿入する際に、上側封止片１１１と下側封止片１１２がフレーム１２０の形状に倣って変形することで、内挿部材１１４と太陽電池パネル１００或いは封止部材１１０とフレーム１２０とが密着するようにしている。
【０００６】
しかしながら、上側封止片１１１と下側封止片１１２を変形しやすくするため、横側封止片１１３については直線状で厚みを厚くしている。その結果、横側封止片１１３は変形しにくく、この横側封止片１１３の幅によって装着される太陽電池パネル１００の厚みが決まってしまう。
【０００７】
即ち、太陽電池パネル１００は幾つかの層を積層しているため、どうしてもその厚みに若干の寸法誤差が発生してしまう。しかしながら、特許文献１に代表される従来の構造では、太陽電池パネル１００の厚み誤差をホルダーが吸収することができず、歩留まりを十分高めることができない。
【０００８】
また、従来のホルダーにあっては、太陽電池パネル１００の厚みと内挿部材１１４に形成された凹部の幅とがほぼ同じであるため、太陽電池パネル１００を内挿部材１１４に挿入しにくく、無理にこじ入れることでパネルが傷つき、太陽電池パネルとフレームとの間で短絡が発生する可能性がある。
【課題を解決するための手段】
【０００９】
上記課題を解決するため本発明は、太陽電池パネルの周縁部にホルダーが装着された太陽電池モジュールに関し、前記ホルダーは太陽電池パネルの表面に当接する上側片、太陽電池パネルの裏面に当接する上側片、これら上側片と下側片とを一体的に連続する横側片からなる断面コ字状をなし、前記横側片の厚みは前記上側片及び上側片の厚さよりも薄く、且つ前記横側片は内側に向かって湾曲した形状とした。
【００１０】
前記下側片の内側（ホルダーの装着方向）への張り出し長さは、前記上側片の内側への張り出し長さよりも大きくすることが好ましい。
また、上側片及び下側片の先端部は横側片と連続する基端部よりも太陽電池パネルの厚み方向の中心線に近づいた形状とすることが好ましい。
【発明の効果】
【００１１】
本発明によれば、横側片の厚みを上側片及び上側片の厚さよりも薄くし且つ内側に向かって湾曲した形状としたことで、太陽電池パネルの縁部にホルダーを装着する際に横側片が変形しやすく、横側片が変形することで、上側片と上側片との間隔が変化するので、製造誤差に起因する太陽電池パネルの厚みにバラツキがあってもホルダーが吸収することができる。
【００１２】
また下側片の内側への張り出し長さを上側片の内側への張り出し長さよりも大きくすることで、上側片先端と下側片先端間に形成される太陽電池パネルに対する装着間口が広がり、装着作業が楽になる。
【００１３】
更に上側片及び下側片の先端部の位置を、横側片と連続する基端部よりも太陽電池パネルの厚み方向の中心線に近づいた位置とすることで、弾力をもって太陽電池パネルを把持することができ、取付け後に外れにくい。
【００１４】
また例えば、ホルダーの材質を比較的硬い材質のみとし、内側に比較的軟らかい封止材を設けない場合に横側封止片の形状を直線状にすると、図５（ａ）に示すように、ホルダーを太陽電池パネルに装着する際に、仮に受光面ガラスの角部に面取りを施していても受光面ガラスの角部と横側封止片とが点接触に近い状態となり、太陽電池パネルに傷がつくおそれがある。
しかしながら、本願発明のように、横側封止片の形状を内側に向かって膨出した湾曲形状とすると、図５（ｂ）に示すように、面接触に近い状態になり、太陽電池パネルに傷がつくおそれがない。
【図面の簡単な説明】
【００１５】
【図１】本発明に係るホルダーを装着した太陽電池モジュールの平面図
【図２】本発明に係るホルダーの断面図
【図３】本発明に係るホルダーを装着した太陽電池モジュールの拡大断面図
【図４】従来構造を示す断面図
【図５】（ａ）及び（ｂ）は本発明の効果の１つを従来と比較して説明した図
【発明を実施するための形態】
【００１６】
以下に本発明の好適実施例を添付図面に基づいて説明する。
本発明の太陽電池モジュール１は太陽電池パネル２と、この太陽電池パネル２の周縁に装着されるホルダー３から構成され、更にホルダー３は図３に示すようにフレーム４に嵌め付け保持される。
【００１７】
前記太陽電池パネル２は基板ガラス２１の上面に太陽電池セル２２が形成され、この太陽電池セル２２の上にカバーガラス２３が重ねられ、太陽電池セル２２の外側で基板ガラス２１とカバーガラス２３の間の空間およびカバーガラス２３には樹脂封止材２４が充填されている。なお、図示しないが、太陽電池セル２２とカバーガラス２３の間にも樹脂封止材２４が充填されている。
【００１８】
また、カバーガラス２３の上面の周縁部には面取り部２５が形成され、前記ホルダー３を太陽電池モジュール２に装着する際にコーナ部を抉って傷つけないようにしている。
【００１９】
尚、本発明において太陽電池パネル２の構成は任意であり、例えば基板ガラス２１の裏面側に反射シートを設けたり、従来例と同様な積層構造としてもよい。
【００２０】
図３に示すように、前記ホルダー３は太陽電池パネル２の各辺に装着されるが、各辺に装着されたホルダー３は密に当接するか、若干隙間が形成されてもよい。
【００２１】
また図２に示すように、ホルダー３は樹脂などからなる断面略コ字状をなし、太陽電池パネル２の表面に当接する上側片３１、太陽電池パネル２の裏面に当接する下側片３２、これら上側片３１と下側片３２とを一体的に連続する横側片３３からなり、横側片３３の厚みは前記上側片３１及び上側片３２の厚さよりも薄く、且つ前記横側片３３は内側、即ちホルダー３の太陽電池パネル２に対する装着方向に向かって湾曲した形状とされている。
【００２２】
前記上側片３１と下側片３２の厚みは等しいが、下側片３２の幅方向の寸法は上側片３１の幅方向の寸法の約３倍としている。
その結果、ホルダー３を太陽電池パネル２に装着する際の開口の寸法Ｗが太陽電池パネル２の厚みに比べて大きくなり、装着作業が簡単になる。
【００２３】
また、上側片３１と下側片３２の先端部３１ａ、３２ａの位置は、横側片３３と連続する基端部３１ｂ、３２ｂよりも太陽電池パネル２の厚み方向の中心線Ｌに近づけられている。
このように、ホルダー３の全体形状を先狭形状とすることで、ホルダー３は太陽電池パネル２の周縁に弾性的に係止し、抜け落ちることがない。
【００２４】
ホルダー３の具体的寸法の一例を示すと、上側片３１の厚みは０．６ｍｍ、幅方向長さは５．５ｍｍ、下側片３２の厚みは０．６ｍｍ、幅方向長さは１７ｍｍ、横側片３３の厚みは０．３ｍｍ、高さは６．３ｍｍ、内側の曲率半径は４．５ｍｍ、外側の曲率半径は４．８ｍｍである。
【００２５】
以上において、太陽電池パネル２の周縁にホルダー３を装着した状態で、ホルダー３をフレーム４に挿入すると、図３に示すように、ホルダー３の湾曲状の横側片３３は太陽電池パネル２とフレーム４との間で押圧され形状が直線状となる。
【００２６】
尚、太陽電池パネル２が製作誤差によってその厚みが平均値よりも小さい場合には、ホルダー３を装着した時点では、横側片３３の形状は湾曲したままであるが、これをフレーム４に挿入すると前記したように太陽電池パネル２とフレーム４との間で押圧され、直線状になる。
【００２７】
図示例ではホルダー３を上側片３１、上側片３２及び横側片３３で構成したが、ホルダー３の内側面に柔らかい樹脂からなる緩衝機能を発揮する封止材を設けてもよい。
【産業上の利用可能性】
【００２８】
本発明に係る太陽電池モジュールは、自動車、ガレージ、建物の屋根などに設置して使用することができる。
【符号の説明】
【００２９】
１…太陽電池モジュール
２…太陽電池パネル
２１…基板ガラス、２２…太陽電池セル、２３…カバーガラス、２４…樹脂封止材、２５…面取り部
３…ホルダー
３１…上側片、３２…下側片、３３…横側片、３１ａ…上側片の先端部、３２ａ…下側片の先端部、３１ｂ…上側片の基端部、３２ｂ…下側片の基端部
４…フレーム
Ｗ…ホルダー開口寸法
【図１】
2014103337.tif 000003
【図２】
2014103337.tif 000004
【図３】
2014103337.tif 000005
【図４】
2014103337.tif 000006
【図５】
2014103337.tif 000007